(57)【要約】【課題】従来、ＧＰＳ装置などの位置を特定する方法を持たない装置においては、映像を撮影した地点の位置情報を推定することができなかった。あるいは、その位置に関連した情報をインターネットなどから取得し、利用することができなかった。【解決手段】同じ位置で撮影した他の映像情報のＧＰＳ情報を併用することで、ＧＰＳ装置を持たない装置でも位置情報を推定することを可能とし、かつ同一位置で撮影した映像情報が存在しない場合でも、任意のデータベースを併用することにより、ＧＰＳ情報を持たない装置で撮影した位置情報を推定可能とする。更に、位置の推定のために接続するインターネットを介して、映像情報に関連した情報を取得して編集などに利用できるようにする。【選択図】図１
2010062704.tif 000002
【特許請求の範囲】
【請求項１】
第１のメディアに記録されているデータの記録日時情報を抽出する記録日時抽出手段と、
第２のメディアに記録されているデータの記録日時情報と位置情報を抽出する位置情報抽出手段と、
前記記録日時抽出手段で抽出された日時情報と、前記位置情報抽出手段で抽出された日時情報と位置情報とから、第１のメディアに記録されているデータの位置情報を推定する位置算出手段と、
データベースにアクセスするアクセス手段と、
前記アクセス手段を介して、データベースから、前記位置算出手段で推定された位置情報の近傍で記録されたデータを検索する記録データ検索手段と、
前記位置算出手段で推定された位置情報を基に、第１または第２のメディアの所定の記録位置に、記録データ検索手段で検索されたデータを保存する保存手段を備えることを特徴とするデータ作成装置。
【請求項２】
前記記録データ検索手段で検索されたデータの位置情報を基に前記位置算出手段で推定された位置情報を補正する補正手段をさらに備えることを特徴とする、請求項１に記載のデータ作成装置。
【請求項３】
前記保存手段は、前記記録データ検索手段で検索されたデータの位置情報を基に、第１または第２のメディアの所定の記録位置に、前記補正手段で補正された位置情報に関連するデータを保存することを特徴とする、請求項２に記載のデータ作成装置。
【請求項４】
第１のメディアに記録されているデータの記録日時情報を抽出する記録日時抽出ステップと、
第２のメディアに記録されているデータの記録日時情報と位置情報を抽出する位置情報抽出ステップと、
前記記録日時抽出ステップで抽出された日時情報と、前記位置情報抽出ステップで抽出された日時情報と位置情報とから、第１のメディアに記録されているデータの位置情報を推定する位置算出・推定ステップと、
データベースから、前記位置算出・推定ステップで推定された位置情報の近傍で記録されたデータを検索する記録データ検索・補正ステップと、
前記位置算出・推定ステップで推定された位置情報を基に、第１または第２のメディアの所定の記録位置に、前記記録データ検索・補正ステップで検索されたデータを保存する保存ステップとを有することを特徴とするデータ作成方法。
【発明の詳細な説明】
【技術分野】
【０００１】
本発明は、ＧＰＳ装置などの位置を特定する方法を持たない装置において、位置情報を推定し、データを作成する方法及びその装置に関するものである。
【背景技術】
【０００２】
従来、この種の方法としては、例えば特許文献１に記載されているようなものがあった。携帯電話機１０３〜１０４は、ＧＰＳ機能を備えていても、備えていなくともよい。店舗などの特定の位置１０７の携帯端末１０６は、ＧＰＳ機能で取得した自己位置の位置情報や位置精度情報を保持している。また、携帯電話機１０３〜１０５や携帯端末１０６は、互いに位置情報を近距離無線通信する機能を備えている。いま、携帯電話機１０３や携帯端末１０６が携帯電話機１０５と近距離無線通信可能な範囲内にある状態で、携帯電話機１０５から近距離無線通信で位置情報要求信号を送信すると、これを受信した携帯電話機１０３や携帯端末１０６がその自己位置の位置情報や位置精度情報を送信し、携帯電話機１０５はこれらを受信して自己位置とその位置精度を算出し、自己位置を推定する。
【特許文献１】特開２００５−２２３４３６号公報（第２１頁、第１図）
【発明の開示】
【発明が解決しようとする課題】
【０００３】
従来例では、ＧＰＳ精度の向上や補完を目的として他機器との近距離無線通信などを利用しているため、その機器が近距離無線通信機能を保持することを必須条件として位置情報を推定はできた。しかしながら前記従来の構成では、実時間で現在の位置情報を入手することはできるが、後日別の場所で行われる映像の編集時には位置情報を取得できないという課題があった。
【０００４】
また、近距離通信可能な範囲にＧＰＳ装置を備えて通信可能な端末などが存在しない場合には位置情報を取得することができないなどの課題があった。
【０００５】
更に、撮影を失敗した場合や撮影をし忘れたような場合にはその場所の映像を提供する手段がないという課題があった。
【０００６】
本発明は、上記課題を解決するために、ＧＰＳ装置を持つ他の機器で撮影された映像情報と、その映像情報の撮影位置近傍で撮影された可能性のあるインターネット上の映像を利用する。その結果、ＧＰＳ情報を持たない装置で撮影された映像情報でも、編集作業などの後処理時に位置情報の推定を可能とする方法を提供できる。
【課題を解決するための手段】
【０００７】
従来の課題を解決するため、本発明のデータ作成装置は、第１のメディアに記録されているデータの記録日時情報を抽出する記録日時抽出手段と、第２のメディアに記録されているデータの記録日時情報と位置情報を抽出する位置情報抽出手段と、記録日時抽出手段で抽出された日時情報と、位置情報抽出手段で抽出された日時情報と位置情報とから、第１のメディアに記録されているデータの位置情報を推定する位置算出手段と、データベースにアクセスするアクセス手段と、アクセス手段を介して、データベースから、位置算出手段で推定された位置情報の近傍で記録されたデータを検索する記録データ検索手段と、位置算出手段で推定された位置情報を基に、第１または第２のメディアの所定の記録位置に、記録データ検索手段で検索されたデータを保存する保存手段と、記録データ検索手段で検索されたデータの位置情報を基に位置算出手段で推定された位置情報を補正する補正手段とを備える。
【０００８】
さらに、従来の課題を解決するため、本発明のデータ作成方法は、第１のメディアに記録されているデータの記録日時情報を抽出する記録日時抽出ステップと、第２のメディアに記録されているデータの記録日時情報と位置情報を抽出する位置情報抽出ステップと、記録日時抽出ステップで抽出された日時情報と、位置情報抽出ステップで抽出された日時情報と位置情報とから、第１のメディアに記録されているデータの位置情報を推定する位置算出・推定ステップと、データベースから、位置算出・推定ステップで推定された位置情報の近傍で記録されたデータを検索する記録データ検索・補正ステップと、位置算出・推定ステップで推定された位置情報を基に、第１または第２のメディアの所定の記録位置に、記録データ検索・補正ステップで検索されたデータを保存する保存ステップとを有する。
【発明の効果】
【０００９】
ＧＰＳ装置を持たない機器での撮影位置情報を推定することが可能となり、かつその地点でユーザが撮影していない情報を同時に取得して利用できるようになる。
【００１０】
位置算出手段を設け、ＧＰＳ情報を持たない装置の撮影位置を推定する手段として、その映像情報を撮影した時刻と近傍の時刻にＧＰＳ装置を持つ他の機器で撮影された映像情報とその位置情報を利用することで撮影位置情報を推定する。あるいは撮影位置を特定したい映像情報を撮影した時刻近傍の時間に、他の機器で撮影された映像情報がない場合、その時刻前後の時間にＧＰＳ装置を持つ他の機器で撮影された映像情報とその位置情報を利用して特定したい映像情報の位置を推定する。
【００１１】
また、位置情報抽出手段を設け、必要に応じてその位置情報の推定精度を向上するために推定に利用した位置情報近傍のインターネット上の情報を利用することで撮影位置情報を補正する。更にインターネット上の情報へのアクセスは、位置情報の補正をするのみではなく、映像情報として撮影し忘れた情報の取得機会をも提供し、ユーザが撮影した映像情報とそれを補完するインターネット上の情報を組み合わせた新たな映像編集が可能となる。
【発明を実施するための最良の形態】
【００１２】
以下に、本発明の実施の形態について、図面を参照しながら説明する。
【００１３】
（実施の形態１）
図１は、本発明の実施の形態１におけるデータ分類方法のブロック図である。図１において、図７と同じ構成については同じ符号を用い、説明を省略する。記録日時抽出手段１において、ＧＰＳ装置を持たない第１の機器によって第１のメディアに記録された情報、例えばムービーで撮影した映像データ１０から、例えば記録を開始した時刻Ｔ１である２００８年１月１日  ７時００分００秒といった記録日時情報３０を取得する。
【００１４】
位置情報抽出手段２において、ＧＰＳ装置を持つ第２の機器によって第２のメディアに記録された情報、例えばＧＰＳ機能付き携帯電話のデジタルカメラ機能によって撮影された複数のＪＰＥＧ形式の静止画ファイルからなる映像データ２０などから、その映像データの撮影時刻情報３１と共に、例えばＧＰＳ装置によって取得された航法データから算出された撮影位置情報４０を取得し、それを組にした参照位置情報４５として出力する。例えば、撮影位置情報４０は撮影位置の緯度と経度を百分率表記した（３５．６５５６４６，  １３９．７５６７４９）として算出されて出力される。
【００１５】
位置算出手段３では、記録日時抽出手段からの記録日時情報３０の時刻と、位置情報抽出手段から入力される複数の撮影時刻情報３１の比較照合を行い、記録日時情報と一致する撮影時刻情報が存在した場合には、その撮影時刻情報を含む参照位置情報４５から撮影位置情報４０を取得して特定位置情報５０として出力する。
【００１６】
図２の平面へのマッピング例１を併用して説明すると、例えば位置情報抽出手段２からは、以下の３つの参照位置情報４５が出力される。撮影時刻情報３１としてＴ２（ｎ−２）＝２００８年１月１日  ６時００分００秒、撮影位置情報４０としてＰ２（ｎ−２）＝（緯度、経度）＝（３５．６５５６４６，  １３９．７５６７４９）と、撮影時刻情報  Ｔ２（ｎ−１）＝２００８年１月１日  ７時００分００秒、撮影位置情報  Ｐ２（ｎ−１）＝（３５．６５７０５７，  １３９．７４８３７９）と、撮影時刻情報  Ｔ２（ｎ＋１）＝２００８年１月１日  ８時００分００秒、撮影位置情報  Ｐ２（ｎ＋１）＝（３５．６６００５１，  １３９．７３５４５１）であう。この３つの参照位置情報４５が存在する状態で、記録日時抽出手段１から時刻Ｔ１である２００８年１月１日  ７時００分００秒という記録日時情報３０が入力された場合、位置算出手段では、３つの撮影時刻情報との照合により、Ｔ２（ｎ−１）＝２００８年１月１日  ７時００分００秒が一致するため、その参照位置情報での撮影位置情報  Ｐ２（ｎ−１）＝（３５．６５７０５７，  １３９．７４８３７９）を特定位置情報５０として出力する。
【００１７】
記録データ検索手段４において、特定位置情報５０を利用してインターネット接続で接続されたデータベースを参照し、その特定位置情報に関連する情報を検索・取得し、検索データ６０と共に出力する。例えば（緯度、経度）＝（３５．６５７０５７，  １３９．７４８３７９）という特定位置情報を利用して、その座標の地名である「増上寺」という文字列情報を検索データとして取得する。この場合には補正位置情報は不要なため生成されない。
【００１８】
保存手段では、検索データ６０及び特定位置情報５０あるいは補正位置情報７０をメディアのデータ１０と関連付けて保存する。例えば第１のメディアに記録されたムービーで撮影された映像データ１０は「増上寺」で撮影された映像と類推され、「増上寺」という文字列情報、（緯度、経度）＝（３５．６５７０５７，  １３９．７４８３７９）という特定位置情報５０に関連づけられて例えばＰＣのＨＤＤ内に分類されて保存される。
【００１９】
（実施の形態２）
図３は、本発明の実施の形態２におけるデータ分類方法のブロック図である。図３において、図１と同じ構成については同じ符号を用い、説明を省略する。位置算出・推定手段６では、記録日時抽出手段からの記録日時情報３０の時刻と、位置情報抽出手段から入力される複数の撮影時刻情報３１の比較照合を行い、もし記録日時情報と一致する撮影時刻情報が存在しない場合には、記録日時情報の時刻と最も近い前後２つの時刻である撮影時刻情報３１を持つ参照位置情報４５から２つの撮影位置情報を取得し、時刻の差を考慮した加重平均により撮影位置情報を推定して推定位置情報５１として出力する。
【００２０】
次に一致する撮影時刻情報が存在しない場合の推定位置情報の推定方法について、図４のマッピング例２を併用して説明する。例えば、位置情報抽出手段からの参照位置情報はマッピング例１と同じで、記録日時抽出手段からの時刻Ｔ１（ｎ）が２００８年１月１日  ７時４５分００秒である場合、Ｔ１（ｎ）はＴ２（ｎ＋１）、Ｔ２（ｎ−１）、Ｔ２（ｎ−２）のいずれとも一致しない。また時刻が新しいほど大きい時刻とすると、Ｔ２（ｎ＋１）  ＞  Ｔ１（ｎ）  ＞  Ｔ２（ｎ−１）となるため、特定したい位置Ｐ１（ｎ）はＰ２（ｎ＋１）とＰ２（ｎ−１）の間にある可能性が高いと考える。Ｐ１（ｎ）を特定するために例えば下記式の加重平均により仮の推定位置  Ｐ１（ｎ）を定める
【００２１】
【数１】
2010062704.tif 000003
【００２２】
この推定位置Ｐ１（ｎ）及び、特定位置情報の候補領域となる半径ｒの値を推定位置情報５１として出力する。この時半径ｒの決め方としては、固定値を利用したり、単位時間当たりの位置の移動量に比例させたり、｜Ｔ２（ｎ＋１）−Ｔ２（ｎ−１）｜に比例させたりする方法が考えられるが、いづれの方法を利用してもその効果は変わらない。
例えば本例の場合Ｐ１（ｎ）＝（３５．６５８６２５，  １３９．７４５４１５）、半径ｒ＝１Ｋｍと算出されたとして以下説明を行う。
【００２３】
記録データ検索・補正手段６において、推定位置情報５１を利用してインターネット接続で接続されたデータベースを参照し、位置情報の補正が必要と判定した場合には補正位置情報７０を加えてその特定位置情報に関連する情報を検索・取得し、検索データ６０と共に出力する。
【００２４】
推定位置情報が入力された場合に、記録データ検索・補正手段で補正位置情報を算出する一例について、図５を併用して説明する。入力された推定位置情報の推定位置Ｐ１（ｎ）及び半径ｒから機器１が時刻Ｔ１（ｎ）に存在していた可能性の高い候補領域が求められる。図５の場合（緯度、経度）＝（３５．６５８６２５，  １３９．７４５４１５）、半径ｒ＝１Ｋｍの円内が候補領域となる。ここでＩｎｔｅｒｎｅｔ上のデータベースに接続をして、この円内になる、映像や音声、静止画やテキスト、地図情報などを検索して特定の座標位置に関連付けされたデータの多い位置を検索して探す。これは旅行などの場合には特定の観光スポットなどに関連した情報が集中する傾向を利用するための方法であり、他の利用シーンにおいてはＩｎｔｅｒｎｅｔを利用した他の類推方法を利用しても同等の効果が得られる。図５の場合座標（３５．６５８６２５，  １３９．７４５４１５）に検索データが集中して見つかったため、この座標位置をＰ１（ｎ）‘とし、補正位置情報７０とする。そしてこの座標の地名である「東京タワー」という文字列を検索データ６０として出力する。
【００２５】
（実施の形態３）
実施の形態３は実施の形態２において検索データとして保存するデータの種類を追加したものであり、その一例について図３及び５を利用して以下に記述する。
【００２６】
記録データ検索・補正手段７で推定位置情報５１に関連した検索データ６０をインターネット上のデータベースから検索をする。その際、推定位置情報を補正して補正位置情報７０を作成するために取得する検索データ６０としては、例えば、座標情報や地名情報、文字情報、音声情報、あるいは静止画情報や動画などの映像情報が得られる。これらの情報の内、その地の歴史などを説明した文字情報や、その地に因んだ音楽、あるいはその地で他者が作成してアップロードした静止画や動画なども検索データ６０として補正位置情報と共に保存する。
【００２７】
この様にインターネット上にアップロードされた様々な情報やデータを利用できるため、第１のメディアや第２のメディアデータとして撮影できなかった位置や、撮影できなかったアングルや方向の撮影データあるいは、記録年月や季節の違う撮影データも取得が可能となり、撮影編集時に従来ではできなかった映像データの補完をすることも可能にする。
【産業上の利用可能性】
【００２８】
本発明は、ＧＰＳ装置などの位置を特定する方法を持たない装置において記録された元情報に対して、インターネットに接続することでその記録位置情報を推定し、付加することができると共に、その記録位置の近傍で他の手段によって記録された従来の方法では入手し得なかった類似のデータを、元情報の補完情報として利用することができるので、音声、静止画、動画及び文章化された文字などの加工、編集、整理をするソフトウェアや装置等に有用である。
【図面の簡単な説明】
【００２９】
【図１】実施の形態１のブロック図
【図２】実施の形態１の平面へのマッピング例を表した図
【図３】実施の形態２のブロック図
【図４】実施の形態２の平面へのマッピング例を表した図
【図５】実施の形態２の位置情報の補正例を表した図
【符号の説明】
【００３０】
１    記録日時抽出手段
２    位置情報抽出手段
３    位置算出手段
４    記録データ検索手段
５    保存手段
６    位置算出・推定手段
７    記録データ検索・補正手段
１０    第１のメディアのデータ
２０    第２のメディアのデータ
３０    記録日時情報
３１    撮影時刻情報
４０    参照位置情報
４５    参照位置情報
５０    特定位置情報
５１    推定位置情報
６０    検索データ
７０    補正位置情報
【図１】
2010062704.tif 000004
【図２】
2010062704.tif 000005
【図３】
2010062704.tif 000006
【図４】
2010062704.tif 000007
【図５】
2010062704.tif 000008